(57)【要約】 【課題】輸液装置を輸液スタンドのポールに固定およびポールから取り外すときに、輸液装置を支えた状態で、回転ノブを何回転も回し続ける必要がなく、看護士の時間的損失と肉体的負担を最小限に抑えるクランプ装置の提供。【解決手段】輸液スタンドのポール３０に対する把持状態または把持解除状態にするクランプ装置２０であって、ネジ部をその内周面に形成し、かつ主軸体を挿通する筒状ネジ部材２と、雌ネジ部に対する歯合状態と歯合解除状態とになるように主軸体の収納部に内蔵されるとともにガイド部を有した一対の雄ネジ駒４、４と、回転ノブに向けて移動操作される操作位置と離間位置との間で移動可能に配置され、一対の雄ネジ駒を歯合解除状態にする操作部３ｆを有した操作手段１０３を備える。【選択図】  図５
2010046281.tif 000002
【特許請求の範囲】
【請求項１】
輸液スタンド別に異なる直径を有するポールの一方の外周面を把持する把持形状部と前記把持形状部に対向して配置される起立形状部とを形成したクランプ基部と、前記ポールの他方の外周面を把持する把持部材をその一端で回転可能に設け、かつその他端で回転操作される回転ノブを固定した主軸体と、を備え、前記回転ノブの正逆方向の回転操作にともない前記把持部材を移動することで、前記ポールに対する把持状態または把持解除状態にするクランプ装置であって、
前記起立形状部から前記把持形状部から離れるように垂設されるとともに、雌ネジ部をその内周面において前記ポールの前記直径分の範囲に亙り形成し、かつ前記主軸体を挿通する筒状ネジ部材と、
前記雌ネジ部に歯合する雄ネジ部が歯合状態と歯合解除状態になるように前記主軸体の収納部に内蔵されるとともに、前記雄ネジ部の夫々を平行に案内するガイド部を有した一対の雄ネジ駒と、
前記回転ノブに向けて移動される操作位置と前記回転ノブから離れる離間位置との間で移動可能になるように前記回転ノブと同軸に前記主軸体に配置されるとともに、前記操作位置に移動操作されると、前記一対の雄ネジ駒を前記歯合解除状態にするための操作部を有した操作手段と、を備えることを特徴とするクランプ装置。
【請求項２】
前記主軸体の前記収納部は、前記主軸体の長手方向に沿う貫通空間部として形成され、  前記貫通空間部は、前記主軸体の外周面から前記他端に向けて対称に形成される一対の第１傾斜面を左側面に形成し、第１凸部を右側面に形成し、
前記一対の雄ネジ駒は、前記一対の第１傾斜面上を滑る一対の第２傾斜面と、第２凸部とを一体形成し、
前記一対の雄ネジ駒を前記雌ネジ部に向かうように移動付勢させるために前記第１凸部と前記第２凸部との間に内蔵バネを設け、
前記操作手段は、前記主軸体の外周面を覆うとともに、前記一対の雄ネジ駒を前記歯合状態にさせる一対の開口部を穿設した筒状体と、
前記操作部を前記離間位置に移動付勢する戻り用バネと、を備えることを特徴とする請求項１に記載のクランプ装置。
【請求項３】
前記筒状体の前記一対の開口部は、左側面に第１当接面を形成し、
前記一対の雄ネジ駒は、前記雌ネジ部の左端側から前記第１当接面に当接する第２当接面を形成し、
前記操作部が前記操作位置に移動された直後には、前記第１当接面と前記第２当接面との間での当接状態になることで前記歯合状態が維持され、
これに続く前記回転ノブの回転操作により前記歯合解除状態にされることを特徴とする請求項２に記載のクランプ装置。
【請求項４】
前記第１当接面と前記第２当接面は、前記主軸体の軸心に直交する面内に夫々形成されることを特徴とする請求項３に記載のクランプ装置。
【請求項５】
前記一対の第１傾斜面を形成した第１ブロック部材と、前記第１凸部を形成した第２ブロック部材とを、個別に準備し、前記貫通空間部内に前記一対の雄ネジ駒と前記内蔵バネととともにセットすることを特徴とする請求項２に記載のクランプ装置。
【請求項６】
前記雄ネジ部を２条ネジで形成し、かつ前記ガイド部が前記雄ネジ部の中心軸に対して平行に延設される凸部と、これを挿通及び案内するように隣接される凹部とから形成することで、前記一対の雄ネジ駒を共通部品化したことを特徴とする請求項１乃至５のいずれか１項に記載のクランプ装置。
【請求項７】
輸液装置載置用の置き台を、前記クランプ基部に固定して使用することを特徴とする請求項１に記載のクランプ装置。
【請求項８】
前記操作手段は、前記筒状ネジ部材を覆うことで薬剤侵入防止を行う弾性素材製のブーツカバーを備えることを特徴とする請求項１に記載のクランプ装置。
【請求項９】
前記クランプ基部を輸液装置の背面に直接固定して使用することを特徴とする請求項１に記載のクランプ装置。
【発明の詳細な説明】
【技術分野】
【０００１】
本発明は、クランプ装置に係り、特に各種輸液装置を夫々異なる直径を有するポールを備えた各種輸液スタンドに着脱可能に固定するためのクランプ装置に関する。
【背景技術】
【０００２】
医療現場では、輸液チューブに蠕動運動を与えることで輸液を行う蠕動式輸液ポンプやシリンジを用いて精度の高い輸液を行うシリンジポンプが用いられる(特許文献１)。これらの各種輸液装置を用いて輸液を行うときに、輸液スタンドから起立状態で固定されたポールに対して輸液装置を固定するためにクランプ装置が使用される。具体的にはクランプ装置には置き台が固定されており、この置き台上に上記の輸液ポンプやシリンジポンプを固定することで、輸液ポンプやシリンジポンプを輸液スタンドに固定できるようにしている。
【０００３】
また、特に複数の輸液装置を集約して移動させる際には、共通の輸液スタンドのポールに輸液ポンプやシリンジポンプを固定しておくことで、特定患者の搬送時や患者の輸液中における移動が可能となる。さらに、各種輸液装置は、輸液スタンドから頻繁に取り外されて、別の患者の治療のために別の輸液スタンドに固定される。このため、輸液スタンドのクランプ装置はかなり重要となる。
【０００４】
従来のクランプ装置は、異なる直径のポールの一方の外周面を把持する把持形状部と把持形状部に対向配置される起立形状部とを一体形成したクランプ基部と、ポールの他方の外周面を把持する把持部材をその端部に設けた主軸体と、主軸体の他端に固定される回転ノブとから構成されており、回転ノブの正逆方向の回動操作により各種輸液装置をポールを有する各種輸液スタンドに対して着脱可能にしている。
【０００５】
一方、建築現場などで骨組みを組み立てるときに使用されるターンバックルは、２本のロッド間に螺合されて使用される。具体的には、組み付け時は、回動操作により各ロッド間の距離を短くすることで各ロッド間を緊張状態にし、分解時には回動操作により各ロッド間の距離を長くすることで分解を行うように使用される。このようにして使用されるので距離分の移動量が大きくなると回動操作回数が増加するので、ワンタッチで距離分の移動を可能に構成されたワンタッチターンバックも提案されている（特許文献２）
【特許文献１】特許第３５０２０８６号公報
【特許文献２】特開２００３−３１４５１７号公報
【発明の開示】
【発明が解決しようとする課題】
【０００６】
しかしながら、上記の従来のクランプ装置は、輸液スタンドのポールに着脱する際に、回転ノブを回転させて主軸体を動かすことでポールに対する把持状態の解除および固定を行う構造である。このため特に異なる直径のポールを有する輸液スタンドに取り付けるために、落下防止のために一方の手で輸液装置を支えておき、他方の手で回転ノブを何回転も回し続ける必要があった。また、固定する際には、これとは逆の手順を行う必要があった。
【０００７】
以上のように、輸液スタンドのポールに輸液装置を着脱および固定する作業は、時間的ロスと、看護士などの肉体的負担を少なからず招くことから、特に目常的に緊急を要することが多い医療現場では改善が望まれていた。
【０００８】
したがって、本発明は上記の事情に鑑みてなされたものであり、輸液スタンドのポールに対して輸液装置を着脱および固定する作業を確実に行えるとともに、時間短縮を図ることができ、しかも看護士などに対する肉体的負担を低減できるクランプ装置の提供を課題としている。
【課題を解決するための手段】
【０００９】
以上の課題を解決するために、本発明のクランプ装置によれば、輸液スタンド別に異なる直径を有するポールの一方の外周面を把持する把持形状部と前記把持形状部に対向して配置される起立形状部とを形成したクランプ基部と、前記ポールの他方の外周面を把持する把持部材をその一端で回転可能に設け、かつその他端で回転操作される回転ノブを固定した主軸体と、を備え、前記回転ノブの正逆方向の回転操作にともない前記把持部材を移動することで、前記ポールに対する把持状態または把持解除状態にするクランプ装置であって、前記起立形状部から前記把持形状部から離れるように垂設されるとともに、雌ネジ部をその内周面において前記ポールの前記直径分の範囲に亙り形成し、かつ前記主軸体を挿通する筒状ネジ部材と、前記雌ネジ部に歯合する雄ネジ部が歯合状態と歯合解除状態になるように前記主軸体の収納部に内蔵されるとともに、前記雄ネジ部の夫々を平行に案内するガイド部を有した一対の雄ネジ駒と、前記回転ノブに向けて移動される操作位置と前記回転ノブから離れる離間位置との間で移動可能になるように前記回転ノブと同軸に前記主軸体に配置されるとともに、前記操作位置に移動操作されると、前記一対の雄ネジ駒を前記歯合解除状態にするための操作部を有した操作手段と、を備えることを特徴としている。
【００１０】
また、前記主軸体の前記収納部は、前記主軸体の長手方向に沿う貫通空間部として形成され、前記貫通空間部は、前記主軸体の外周面から前記他端に向けて対称に形成される一対の第１傾斜面を左側面に形成し、第１凸部を右側面に形成し、前記一対の雄ネジ駒は、前記一対の第１傾斜面上を滑る一対の第２傾斜面と、第２凸部とを一体形成し、前記一対の雄ネジ駒を前記雌ネジ部に向かうように移動付勢させるために前記第１凸部と前記第２凸部との間に内蔵バネを設け、前記操作手段は、前記主軸体の外周面を覆うとともに、前記一対の雄ネジ駒を前記歯合状態にさせる一対の開口部を穿設した筒状体と、前記操作部を前記離間位置に移動付勢する戻り用バネと、を備えることを特徴としている。
【００１１】
また、前記筒状体の前記一対の開口部は、左側面に第１当接面を形成し、前記一対の雄ネジ駒は、前記雌ネジ部の左端側から前記第１当接面に当接する第２当接面を形成し、前記操作部が前記操作位置に移動された直後には  ⇒場合でも、前記第１当接面と前記第２当接面との間での当接状態になることで前記歯合状態が維持され、これに続く前記回転ノブの回転操作により初めて前記歯合解除状態にされることを特徴としている。
【００１２】
また、前記第１当接面と前記第２当接面は、前記主軸体の軸心に直交する面内に夫々形成されることを特徴としている。
【００１３】
また、前記一対の第１傾斜面を形成した第１ブロック部材と、前記第１凸部を形成した第２ブロック部材とを、個別に準備し、前記貫通空間部内に前記一対の雄ネジ駒と前記内蔵バネととともにセットすることを特徴としている。
【００１４】
また、前記雄ネジ部を２条ネジで形成し、かつ前記ガイド部を前記雄ネジ部の中心軸に対して平行に延設される凸部と、これを挿通及び案内するように隣接される凹部とから形成することで、前記一対の雄ネジ駒を共通部品化することを特徴としている。
【００１５】
また、輸液装置載置用の置き台を、前記クランプ基部に固定して使用することを特徴としている。
【００１６】
また、前記操作手段は、前記筒状ネジ部材を覆うことで薬剤侵入防止を行う弾性素材製のブーツカバーを備えることを特徴としている。
【００１７】
そして、前記クランプ基部を輸液装置の背面に直接固定して使用することを特徴としている。
【発明の効果】
【００１８】
本発明のクランプ装置によれば、輸液装置を輸液スタンドのポールに固定および取り外すときに、輸液装置を支えた状態で、回転ノブを何回転も回し続ける必要がなくなるとともに、一対の雄ネジ駒が雌ネジ部に確実に歯合及び歯合解除されるので、極めて簡単かつ容易となり、時間的損失と肉体的負担を最小限に抑えることができる。
【００１９】
また、操作部が操作位置に移動された直後の場合でも、歯合状態が維持され、これに続く回転ノブの回転操作により初めて歯合解除状態にされるので、輸液装置を支えておかなくとも輸液装置を輸液スタンドのポールから安全かつ確実に取り外すことができる。すなわち、操作部が操作位置に移動された場合でも、歯合状態が維持される。回転ノブの回転操作により初めて歯合解除状態にされるので、安全な固定が維持される。
【００２０】
尚、本発明のその他の特徴及び利点は、添付図面を参照とした以下の説明により明らかになるであろう。なお、添付図面においては、同じ若しくは同様の構成には、同じ参照番号を付す。添付の図面は明細書に含まれ、その一部を構成し、本発明の実施の形態を示し、その記述と共に本発明の原理を説明するために用いられる。
【発明を実施するための最良の形態】
【００２１】
以下に、本発明の好適な一実施形態について、添付の図面を参照して説明する。尚、後述する説明では従来のクランプ装置に改造を加えることで評価したものについて主に述べるが、これに限定されず特許請求の範囲に既定される各種の構成があることは言うまでもない。また、輸液装置としてはシリンジポンプの使用例について以下に主に述べるが、これに限定されず、輸液チューブの嬬動運動を行うように構成されたペリスタリックフィンガ方式の輸液ポンプまたは他の方式の輸液装置である回転ローラを備えたローラ式輸液ポンプ等の各種の輸液装置にも適用できることは言うまでもない。
【００２２】
さらに、安全性を考慮するとあまり推奨されないが、例えば緊急時には輸液スタンドのポール以外にも任意に固定できることとなる。
【００２３】
先ず、図１は、本発明の一実施形態のクランプ装置２０と、シリンジ２３を用いる輸液装置であるシリンジポンプ２２を、輸液スタンドのポール３０に固定する使用状態を示した外観斜視図である。本図において、シリンジポンプ２２にはシリンジ２３の本体を固定する部材２２ａと、押子を把持セットするスライダー２２ｂが設けられており、押子が最大の位置に引き出された状態で把持してセットすることで、内蔵の機構により正確な薬液が輸液チューブ２３ａを介して送液されるように構成されている。
【００２４】
このシリンジポンプ２２の底面には、破線図示の雌ネジ穴２４が固定されており、シリンジポンプ２２を置き台２１上に載置した状態から、置き台２１に設けられた固定ネジ２５を雌ネジ穴２４に対して螺合させることで、置き台２１上にシリンジポンプ２２を固定する。あるいは、置き台２１をクランプ装置２０に対してネジを用いて係合させておき、クランプ装置２０をポール３０に固定した後、シリンジポンプ２２を置き台２１に置いて、固定ネジ２５を雌ネジ２４に螺合させて固定することも可能である。また、置き台２１は、図示のように前方に僅かに傾斜しているのでシリンジ２３の着脱操作などが容易にできる。さらに、後述するようにクランプ装置２０は輸液装置の背面に直に固定して使用するようにしても良い。
【００２５】
この置き台２１には、クランプ装置２０のクランプ基部１が４本のネジを用いて固定されている。また、このクランプ基部１には回転ノブ９を一端に固定し、他端に把持部材８を回転自在に設けた主軸体が後述するように設けられている。なお、薬剤などが操作手段へ侵入することを防止するためのブーツカバー３ｇが、シリコンラバー等の耐薬品性に優れた熱可塑性材料から形成されており、図示のように設けられている。また操作部３ｆが回転ノブ９に隣接して設けられており、回転ノブ９には、滑り止め用の溝部９ａが軸方向に形成されている。
【００２６】
一方、輸液スタンドのポール３０は、移動キャスタ３２を設けた脚部３１から床面に対して垂直に起立されて固定されている。このポール３０は、異なる直径を有する金属パイプ製であって、機種毎にその直径が異なっている。
【００２７】
以上の構成において、輸液スタンドのポール３０にシリンジポンプ２２を固定および取り外すときに、本発明のクランプ装置２０を用いることで、回転ノブ９を必要最小限度分回転すれば簡単に交換できることを以下に述べる。
【００２８】
図２(ａ)は、図１のクランプ装置２０のＸ-Ｘ線矢視断面図であり、図２(ｂ)はその一部の断面斜視図である。また、図３はクランプ装置２０の外観斜視図、図４はクランプ装置２０の要部構成を示した立体分解図である。
【００２９】
図２、図３、図４を参照して、クランプ装置２０の全長は約１９０ｍｍであり、クランプ基部１は幅寸法が７５ｍｍであり、直径範囲であるφ１２.５〜３５３４ｍｍのポール３０に用いることができるように構成されている。また、クランプ装置２０の全重量は２００〜３５０ｇであるが、無論、これらは一例に過ぎず輸液装置のサイズなどに応じて適宜寸法設定されることは言うまでもない。
【００３０】
さらに、クランプ基部１の起立形状部１ｂからはその内周面に雌ネジ部２ａを形成した筒状ネジ部材２が固定されている。また、主軸体５はネジ１４により回転ノブ９に固定されている。回転ノブ９と操作部３ｆの間には、戻り用コイルバネ６が設けられている。回転ノブ９を回転することで発生する回転トルクは、回転ノブ９にインサート成型されたＤカット部材の穴部９ｃとＤカットを有する主軸体５とが噛合うことによって主軸体５に伝達されることになる。
【００３１】
ステンレス棒材などから準備される主軸体５には、図示のように対向して対称位置に形成される傾斜面５ａ、５ａが形成されており、その内部で一対の雄ねじ駒４、４を収納しており、内蔵バネコイル７により傾斜面上を滑るように移動可能に付勢されている。また、同じくステンレス製の円筒状体である筒状ネジ部材２の長手方向の内面のぽぼ全長に亙って雌ネジ部２ａが形成されている。主軸体５は、図示のように２箇所の小直径部分が形成されており、後述の筒状体３の摺動抵抗を極力少なくしている。
【００３２】
一方、主軸体５を覆う筒状体３は、その途中部位において上記の一対の雄ネジ駒４、４を図示のように上下の雌ネジ部２ａ、２ａに向けて突出させるための矩形の開口部３ａ、３ａが上下に穿設されている。ここで、図面では開口部３ａ、３ａは上下に位置しているが筒状体３の回転にともない位置が変化することは言うまでもない。この筒状体３を設けた操作手段１０３にはフランジ形状の操作部３ｆが固定されている。すなわち図４の要部構成の立体分解図において、操作手段１０３には、主軸体５の外径よりも大きな内径部３ｃが形成されており、各開口部３ａには各当接面３ｂが形成されている。また一対の雄ネジ駒４は樹脂、金属、またはそれに類する強度を有するものであり、雌ネジ部２ａに噛合する雄ネジ部４ａと、この雄ネジ部４ａから図示のように連続形成される傾斜面４ｂと、内蔵コイルバネ７を収容する凸部４ｃを夫々一体形成している。主軸体５の収納部５ｗ中に矢印方向に雄ネジ駒４、４と内蔵コイルバネ７を図示のように内蔵して、移動可能に付勢されるように構成されている。
【００３３】
各雄ネジ部４ａの歯は、１条ネジまたは２条ネジ、あるいは多条ネジで形成される。１条ネジは、少しの回転で横方向の移動が大きいが、２条ネジによれば後述するように共通部品化を図ることができる。ここで内蔵コイルバネ７は、外径５〜１０ｍｍ、長さ１０〜１４ｍｍ、バネ係数２０〜３０ｇｆ/ｍｍである。バネ係数が小さいと雄ネジ駒４、４に対する押圧力が小さくなり、大きいと各雄ネジ駒４の各雌ネジ部２ａからの係合と解除が行いづらくなる。なお、カバー３ｇには脱落防止用リブ３ｈが形成されている。また凸部５ｂは、内蔵コイルバネ７の一端に挿入され、内蔵コイルバネ７の長手方向の移動のみを許容する部分である。また、段差部５ｃは、主軸体５に対する操作部材３のストッパーのための段差面となる。
【００３４】
さらに、一対の雄ネジ駒４、４には、ガイド部となるピンの凸部４１と、この凸部４１を挿通してガタツキなく案内する破線図示の凹部４１とが形成されている。このガイド部により一対の雄ネジ駒４、４の倒れ防止を図ることで、歯が平行に移動されるので、推奨されないが操作部３ｆを引かずに回転ノブ９を押圧した場合であっても、雌ネジ部２ａに対する歯合ずれの発生を防止できるように構成されている。即ち、ガイド部を設けない場合には、一方の雄ネジ駒４に倒れが発生してしまい、一つの雄ネジ駒４と雌ネジ部２ａとの間での歯合により全負荷を受け持つ状態となる。この場合、強度と固定力の観点から不利になるが、上記のようにガイド部により一対の雄ネジ駒４、４の倒れ防止が図られるので、歯が確実に平行に移動されるので、常時一対の雄ネジ駒により負荷を分担できることとなる。
【００３５】
次に、図３に着目して説明すると、クランプ基部１は、アルミ押し出し部材を切断して形成されており、ポールの一方の外周面を把持するための第１の谷形状部１ｍを形成した把持形状部１ａと、第１の谷形状部１ｍと対称となる第２の谷形状部８ｍを形成した把持部材８を保持する起立形状部１ｂを図示のように一体形成している。
【００３６】
把持部材８は、ポール３０の他方の外周面を把持するために、外径φ４〜２０ｍｍ程度の主軸体５の端部８ｃにおいて僅かに回動自在、かつ長手方向の前後に移動可能に設けられている。また、この主軸体５の他端には円周方向に複数個設け、長手方向に延びる滑り止めのための溝部９ａを備えた回転ノブ９が固定されている。
【００３７】
そして、この回転ノブ９の操作により、上記のシリンジポンプ２２を含む各種の輸液装置をポール３０を有する各種輸液スタンドに簡単な操作で固定でき、かつ取り外せるように構成されている。
【００３８】
この回転ノブ９の近くにはフランジ形状の上記の操作部３ｆが位置しており、回転ノブ９を把持しながらこの操作部３ｆの矢印方向の操作により、主軸体５を、その長手方向に移動自在にさせることができ、起立形状部１ｂに対する任意の位置で固定できるようになる。これに引き続き回転ノブ９を操作して把持部材８と把持形状部１ａとの間でポール３０に対する把持状態にすることができる。
【００３９】
また、各種輸液スタンドに対して、把持の際には、操作部３ｆの操作により主軸体５の長手方向に任意に移動可能である。また、把持状態を解除する際には、回転ノブ９を回転させた直後でなければ歯合状態が解除できないために操作部３ｆの操作を行うことができないので、シリンジポンプ２２を上下に移動できない安全設計となっている。このため後述の機構手段を備えている。
【００４０】
すなわち、図３においてクランプ基部１の起立形状部１ｂに対して雌ネジ部を形成した内径φ１４ｍｍ程度、外径φ１８ｍｍ程度のステンレス製の円筒雌ネジ部材２がネジ１３、１３で固定されている。主軸体５はこの円筒雌ネジ部材２の長手方向に移動自在に設けられている。さらに、回転ノブ９と操作部３ｆの間には戻り用コイルバネ６(図２参照)が設けられている。
【００４１】
また、図４の要部構成の立体分解図において、操作手段１０３には、主軸体５を挿入するための挿入口３ｄ、主軸体５の外径よりも大きな内径部３ｃを有する筒状体３が固定されており、各開口部３ａには各当接面３ｂが形成されている。また、雄ネジ駒４、４は樹脂、金属、またはそれに類する強度を有するものであり雌ネジ部２ａに噛合する２条ネジの雄ネジ部４ａと、この雄ネジ部４ａから図示のように連続形成される第２傾斜面４ｂと、内蔵バネ７を収容する凸部４ｃを一体形成しており、主軸体５において上下に対称に形成された第１傾斜面５ａ、５ａを有した収納穴部５ｗ中に矢印方向に雄ネジ駒４と内蔵バネ７とが夫々セットされる。
【００４２】
また、一方の雄ネジ駒において凸部４０がピンを圧入して形成されるとともに、他方の雄ネジ駒に凹部（破線図示）が穿設されており、凸部４０を凹部４１に挿通することで、合体して組付ける。
【００４３】
以上のように組み付けることで、内蔵バネ７の作用で移動付勢され、各雄ネジ駒４、４は傾斜面４ｂが傾斜面５ａ上を滑る結果、各雄ネジ部４ａ、４ａが雌ネジ部２ａ、２ａに向けて移動されるように構成されている。上記のように内蔵バネ７は、外径５〜１０ｍｍ、長さ１０〜１４ｍｍ、バネ係数２０〜３０ｇｆ/ｍｍである。バネ係数が小さいと各雄ネジ駒４、４に対する押圧力が小さくなり、大きいと各雄ネジ駒４が雌ネジ部２ａから解除する動作を行いづらくなる。
【００４４】
図５は、図４のＹ-Ｙ線矢視断面図であり、ポールヘの操作手段の固定、解除状態を模式的に示しており、図５(ａ)は、固定(把持)状態を示す動作説明の要部断面図、図５(ｂ)は、途中状態を示す要蔀断面図、図５(ｃ)は、移動状態を示す動作説明の要部断面図である。
【００４５】
先ず、図５(ａ)のポールヘの固定(把持)状態では、ポール３０に対して把持部材８がしっかりと固定されているため、主軸体５内にセットされた雄ネジ駒４、４の雄ネジ部４ａ、４ａは雌ネジ部２ａ、２ａに噛合している。この状態から回転ノブ９を矢印Ｄ２方向に回動させると、雄ネジ駒４、４の倒れ防止をガイド部の凸部４０と凹部４１とにより図ることで、雄ネジ部４ａ、４ａが平行に移動され、雌ネジ部２ａ、２ａの噛合状態が外れる。これに続き、図５(ｂ)の解除状態を示す要部断面において、操作手段１０３の操作部３ｆが矢印Ｄ１方向に移動されると、筒状体３の各開口部３ａの当接面３ｂ、３ｂが雄ネジ部４ａ、４ａに対して当接することで雄ネジ駒４、４が主軸体５の傾斜面５ａ、５ａに沿って右側方向に移動されることで、図中の矢印Ｄ２方向に移動する分力が発生する。
【００４６】
さらに操作部３ｆを移動することで開口部３ａ、３ａから雄ネジ駒４、４が外れる。以上のように、筒状体３は雄ネジ駒４、４を内部に引っ込ませるためのシャッターの役割を果たす。これにより筒状体３の円筒外径面から雄ネジ部４ａ、４ａが完全に引っ込む状態となる。また、より細い外径のポール３０に固定するときには操作手段１０３の操作部３ｆを回転ノブ９側に引き寄せたままで、図示のように移動することで、雄ネジ駒４、４が引き込まれることとなる。また、操作手段１０３から手を放すと雄ネジ駒４、４が突出する状態になる。
【００４７】
以上により、操作手段１０３の操作部３ｆを回転ノブ９側に引き寄せると、自在に前後動作させることができるので、保持しようとするポール３０の直径に合わせて簡単な動作で調整することができる。そして、その位置より少しだけ回転ノブ９を回転させてポール３０に対して確実に把持することが可能となる。
【００４８】
また、ポール３０から外す際も同様で、僅かに回転ノブ９を回転させてネジを緩めた後、操作手段１０３の操作部３ｆを回転ノブ９側に引き寄せることにより、自在に前後動作させることが可能となり、作業時間のロスがなくなり、かつ、作業者がポンプ等を支えている時間も短くなるので、肉体的負担も軽減される。
【００４９】
図６は、本発明の別実施形態のクランプ装置２０を蠕動式輸液装置１２２の背面に直接固定した様子を図示した要部断面図である。また、図７は、図６のクランプ装置２０の立体分解図である。両図において、既に説明済みの構成または部品については同様の符号を附して説明を割愛する。
【００５０】
先ず、図６、図７に図示したようにポール３０は、最長直径ｄ１からｄ３の範囲となっている。筒状ネジ部材２は、クランプ基部１の起立形状部から把持形状部から離れるように垂設されるとともに、雌ネジ部２ａをその内周面においてポール３０の直径ｄ１からｄ３分の範囲に亙り形成している。また主軸体５は雌ネジ部２ａに対する歯合状態と歯合解除状態とになるように主軸体５の収納部５１内に一対の雄ネジ駒４、４を内蔵している。また、把持部材８はその両面にワッシャ―１１１、１１１をセットした後に、割ピン１１２を端部８ｃの穴部に圧入することで回動可能に支持される。
【００５１】
また操作手段１０３の操作部３ｆは、回転ノブ９に向けて移動操作される操作位置と回転ノブ９から離れる離間位置との間で移動可能になるように、回転ノブ９と同軸に主軸体５に配置されるとともに、操作部３ｆの操作で操作手段１０３が操作位置に移動操作され、さらに回転ノブ９を回動させる僅かに回転ノブ９を回転させてネジを緩めた後、操作手段１０３の操作部３ｆを回転ノブ９側に引き寄せることで、一対の雄ネジ駒４、４が歯合解除状態になるように構成されている。
【００５２】
主軸体５には図示のようなＤカット面５ｘが形成されており、操作部３ｆのＤカットされたＤ穴部３ｘと、回転ノブ９のＤ穴部９ｘにこのＤカット面５ｘが挿通される。操作手段１０３は、回転ノブ９側に移動可能かつ戻りバネ６により常時離れるように付勢されている。すなわち操作手段１０３を回転ノブ９から離れた離間位置に移動付勢するための戻り用バネ６が設けられている。以上の構成により、回転ノブ９の回動操作力を主軸体５に伝達可能に構成されている。
【００５３】
また、主軸体５の収納部５１は、図示のような主軸体の長手方向に沿う貫通空間部として形成されており、主軸体５の外周面から他端に向けて対称に形成される一対の第１傾斜面５ａ、５ａを形成した第１ブロック部材１００と、第１凸部５ｂを形成した第２ブロック部材１０１とを樹脂形成して個別に準備しておき、貫通空間部５１内に一対の雄ネジ駒４、４と内蔵バネ７とともにセットすることで組み付けを容易にしている。
【００５４】
また一対の雄ネジ駒４、４は、雌ネジ部２ａに歯合する雄ネジ部４ａ、４ａと、一対の第１傾斜面５ａ、５ａ上を滑る一対の第２傾斜面４ｂ、４ｂと、第２凸部４ｃ、４ｃとを一体形成しており、一対の雄ネジ駒４、４を雌ネジ部２ａに向かうように移動付勢させるために第１凸部５ｂと各第２凸部４ｃ、４ｃとの間に内蔵バネ７を設けた状態で形状部５２、５３に対してセットされて脱落防止される。
【００５５】
また筒状体３は、主軸体５の外周面を覆うとともに、一対の雄ネジ駒４、４が歯合状態になるように突出させるための一対の開口部３ａ、３ａを上下面に穿設している。
【００５６】
そして、筒状体３の一対の開口部３ａ、３ａは図示のような矩形形状に穿設されるとともに、その左側面において第１当接面３ｂ、３ｂを形成する一方で、一対の雄ネジ駒４、４は、雌ネジ部４ａの左端側から第１当接面に対して当接する第２当接面４ｋ、４ｋを夫々形成しており、第１ブロック部材１００の当接面１００ｋ、１００ｋに対して当接してそれ以上の移動が規制されている。これらの第１当接面と第２当接面は、主軸体の軸心に直交する面内に夫々形成されることで、後述のストッパー機能が正常に機能できるようになる。なお、当接面１００ｋの代わりにリング状部材を設けてストッパー機能を持たせてもよい。
【００５７】
図８(ａ)は、一対の雄ネジ駒４、４が雌ネジ部２ａと歯合している状態を図示した図６の要部断面図であり、図８(ｂ)は、操作手段１０３の操作部３ｆを矢印Ｄ１方向に移動し、さらに回転ノブ９を回動する回転ノブ９を螺合解除方向に回転させ、さらに操作手段１０３の操作部３ｆを矢印Ｄ１方向に移動することで、一対の雄ネジ駒４、４が雌ネジ部２ａから歯合解除された状態を図示した図６の要部断面図であり、図８(ｃ)は操作手段１０３の操作部３ｆが矢印Ｄ１方向に移動された直後の拡大断面図である。
【００５８】
図８(ａ)において、輸液装置の使用中には図示の状態となっており、一対の雄ネジ駒４、４が雌ネジ部２ａと歯合しているので、ポールに対する把持状態となっている。この状態から、図８(ｂ)に図示するように、操作手段１０３の操作部３ｆを矢印Ｄ１方向に移動するとした場合でも、図８(ｃ)に図示したように雌ネジ部４ａの左端側から形成された第２当接面４ｋ、４ｋが開口部３ａ、３ａの第１当接面３ｂ、３ｂに対して当接する状態となり、操作手段１０３をそれ以上右方向に移動できなくなるい。これに続いて回転ノブ９を矢印Ｄ３方向の螺合解除方向に回動操作するとことで初めて図８(ｂ)に図示した歯合解除状態となる。
【００５９】
図９は、一対の雄ネジ駒を共通部品化する雄ネジ駒４の三面図であり、（ａ）は正面図、（ｂ）は左側面図、（ｃ）は右側面図、（ｄ）は底面図、（ｅ）は平面図、（ｆ）は背面図を図示している。本図において、本図において、既に説明済みの構成または部品については同様の符号を附して説明を割愛すると、雄ネジ部４ａは２条ネジ４ｔ−１、４ｔ−２で形成している。この２条ネジ４ｔ−１、４ｔ−２は、日本工業規格にない専用設計されたものであり、図示のように特にピッチを広げ、かつ山部の底辺の幅寸法を広げることでせん断力に対向する断面積を大きくすることで耐破壊強度を向上させている。
【００６０】
また雄ネジ駒４はガイド部を、雄ネジ部４ａの中心軸に対して平行に延設される凸部４０と、これを挿通及び案内するように隣接される凹部４１とから所定樹脂材料である例えばポリアセタール樹脂を用いて一体的に射出成形している。
【００６１】
次に、図１０（ａ）は１条ネジ４ｔの断面図、外観斜視図であり、（ｂ）は２条ネジ４ｔ−１、４ｔ−２の断面図、外観斜視図である。図１０（ａ）において、１条ネジ４ｔの場合には螺旋形状部が１つであり、図中において一点鎖線で示した対向部位では位相が１８０度分ずれている。このため共通部品化を図ることはできない。これに対して図示のような２条ネジ４ｔ−１、４ｔ−２の場合には螺旋形状部が２つであり、図中において一点鎖線で示した対向部位での位相がずれていないので共通部品化を図ることが可能となる。  図１１は、以上のように成形されて準備された一対の雄ネジ駒４、４の外観斜視図であって、凸部４０を凹部４１に互いに挿入することでガイド部が形成されることになる。
【００６２】
図１２は、ポール３０と把持部材８との関係と、雄ネジ駒４、４と雌ネジ２ａとの関係と、手動操作の内容と、クランプ装置の状態を工程Ｓ１からＳ１０の順番に示した模式図である。この模式図において、既に説明済みの構成または部品については同様の符号を附して説明を割愛する。
【００６３】
先ず、工程Ｓ１の輸液装置を使用する状態では、ポール３０に対して把持部材８が把持状態となっており雄ネジ駒４、４と雌ネジ２ａとは互いに歯合した歯合状態となっている。次に、輸液装置を別のポール３０に移動するために、工程Ｓ２では、操作部３ｆを右方向の回転ノブ９側に移動する。続いて工程Ｓ３では、操作部３ｆが最終位置まで移動される。工程Ｓ２では、回転ノブ９を螺合解除方向に回転させる。続いて工程Ｓ３では、操作部３ｆを右方向の回転ノブ９側に移動する。
【００６４】
すると、回転ノブ９を螺合解除方向に回転させる前に操作部３ｆを右方向の回転ノブ９側に移動した場合であっても、図８(ｃ)で説明したように、各雄ネジ部４ａの左端側から形成された第２当接面４ｋ、４ｋが開口部３ａ、３ａの第１当接面３ｂ、３ｂに対して当接して停止する状態となる。このため、操作手段１０３をそれ以上右方向に移動できなくなる。以上のようにして、万が一、不用意に操作部３ｆを引いてしまった場合であっても雄ネジ駒４、４と雌ネジ２ａとは互いに歯合した歯合状態は維持されたままであり、把持状態が外れないようにしている。
【００６５】
この状態ではポール３０と把持部材８との関係は、完全な把持状態となっているので輸液装置の重量分を支える必要はない。この状態から工程Ｓ３において、回転ノブ９を螺合解除方向の逆方向にさらに回動操作する操作部３ｆを右方向の回転ノブ９側に移動すると、雄ネジ駒４、４がガイド部により平行移動され、雌ネジ２ａとの間における歯合解除状態となり、これに前後してポール３０と把持部材８との間の把持状態が初めて解除される。そこで、輸液装置を手で支える。この次に、工程Ｓ４に進み、操作手段１０３の全体を右方向に移動してポールから取り外す。そして、工程Ｓ５に進み、異なるポールにセットし、工程Ｓ６で操作手段１０３を左方向に全体移動し、操作部３ｆを戻すことで、歯合状態にする準備をする。
【００６６】
これに続き、工程７において回転ノブ９を正回転方向に回動させて、歯合状態にさせて同時に把持状態にする。さらに、工程８において回転ノブ９を確り固定し、工程９において輸液装置を使用する状態にする。
【００６７】
以上のように、輸液装置を輸液スタンドのポールに固定およびポールから取り外すときに、輸液装置を最初から支えた状態で、回転ノブを何回転も回し続ける必要がなくなるので、時間的損失と肉体的負担を最小限に抑えることができる。また、操作部が操作位置に移動された直後では、歯合状態が維持されており、これに続く回転ノブの回転操作により初めて歯合解除状態に確実になることから、スタンドのポールから安全かつ確実に取り外すことが可能になる。よって、特にひ弱な看護士にとっては非常にありがたいクランプ装置が提供されることになる。
【００６８】
本発明は上記実施の形態に制限されるものではなく、本発明の精神及び範囲から離脱することなく、様々な変更及び変形が可能である。
【図面の簡単な説明】
【００６９】
【図１】本発明の一実施形態のクランプ装置と輸液装置用輸液スタンドのポールに固定する使用状態を示した外観斜視図である。
【図２】(ａ）は、図１のクランプ装置のＸ−Ｘ線矢視断面図である。図２(ｂ)は、要部断面斜視図である。
【図３】本発明の一実施形態のクランプ装置の外観斜視図である。
【図４】本発明の一実施形態のクランプ装置の要部構成の立体分解図である。
【図５】(ａ)は、把持状態を示す動作説明の要部断面図、図５(ｂ)は、解除移動状態を示す要部断面図、図５(ｃ)は、移動解除状態を示す動作説明の要部断面図である。
【図６】本発明の別実施形態のクランプ装置２０を蠕動式輸液装置１２２の背面に直接固定した様子を図示した要部断面図である。
【図７】図６のクランプ装置２０の立体分解図である。
【図８】(ａ)は、一対の雄ネジ駒４、４が雌ネジ部２ａと歯合している状態を図示した図６の要部断面図、図８(ｂ)は、操作手段１０３の操作部３ｆを矢印Ｄ１方向に移動し、さらに回転ノブ９を回動回転ノブ９を反時計回りに少し回転した後、操作部３ｆを矢印Ｄ１方向に移動することで、一対の雄ネジ駒４、４が雌ネジ部２ａから歯合解除された状態を図示した図６の要部断面図、図８(ｃ)は操作手段１０３の操作部３ｆが矢印Ｄ１方向に移動された直後の拡大断面図である。
【図９】（ａ）は一対の雄ネジ駒の正面図、（ｂ）はその左側面図、（ｃ）はその右側面図、（ｄ）はその底面図、（ｅ）はその平面図、（ｆ）はその背面図である。
【図１０】（ａ）は１条ネジ４ｔの断面図、外観斜視図であり、（ｂ）は２条ネジ４ｔ−１、４ｔ−２の断面図、外観斜視図である。
【図１１】一対の雄ネジ駒４、４の外観斜視図である。
【図１２】ポール３０と把持部材８との関係と、一対の雄ネジ駒４、４と雌ネジ２ａとの関係と、手動操作の内容と、クランプ装置の状態を工程Ｓ１からＳ９の順番に示した模式図である。
【符号の説明】
【００７０】
１  クランプ基部
２  筒状ネジ部材
２ａ  雌ネジ部
４、４  一対の雄ネジ駒
４ａ  雄ネジ部
２０  クランプ装置
４０  凸部
４１  凹部
【図１】
2010046281.tif 000003
【図２】
2010046281.tif 000004
【図３】
2010046281.tif 000005
【図４】
2010046281.tif 000006
【図５】
2010046281.tif 000007
【図６】
2010046281.tif 000008
【図７】
2010046281.tif 000009
【図８】
2010046281.tif 000010
【図９】
2010046281.tif 000011
【図１０】
2010046281.tif 000012
【図１１】
2010046281.tif 000013
【図１２】
2010046281.tif 000014